(57)【要約】【課題】ユーザの頭部の付近に通信デバイスを位置決めすることに関する、従来技術における欠陥に対処する配置を提供すること。【解決手段】ポータブル通信デバイスであって、ケースと、スピーカポートと、該ケースの下部に配置されたアンテナと、該デバイスのユーザの頬に載るように該ケースの前面に配置されたスペーサであって、該デバイスの該ユーザの頭部に向かって、該デバイスが保持され、該スペーサが該ユーザの頬に載ったときには、該スペーサは、該デバイスの下部を該ユーザの頭部から離すようにバイアスする、スペーサとを備えている、ポータブル通信デバイス。【選択図】図４
2009027704.tif 000002
【特許請求の範囲】
【請求項１】
ポータブル通信デバイスであって、
ケースと、
スピーカポートと、
該ケースの下部に配置されたアンテナと、
該デバイスのユーザの頬に載るように該ケースの前面に配置されたスペーサであって、該デバイスの該ユーザの頭部に向かって、該デバイスが保持され、該スペーサが該ユーザの頬に載ったときには、該スペーサは、該デバイスの下部を該ユーザの頭部から離すようにバイアスする、スペーサと
を備えている、ポータブル通信デバイス。
【請求項２】
前記スペーサは、前記ケースの前記前面における前記スピーカポートから３０ｍｍ〜６０ｍｍに配置されており、
該スペーサは、０．５ｍｍ〜５ｍｍの、該ケースの上に立ち上がる高さを有する、請求項１に記載のポータブル通信デバイス。
【請求項３】
前記スペーサは、前記ケースの前記前面におけるスピーカポートから一定の距離に配置されることにより、移動局の無線能力に関するセルラー通信工業会「ＣＴＩＡ」のテストプランと適合する、請求項１に記載のポータブル通信デバイス。
【請求項４】
ディスプレイと、
該ディスプレイに対するカバーと
をさらに備えており、
前記スペーサは、該カバーに組み込まれるか、または取り付けられ、該カバーの下部を横切った部分に広がる、請求項１〜請求項３のうちのいずれか１項に記載のポータブル通信デバイス。
【請求項５】
前記ケースの前記前面に配置されたローラーボールをさらに備えており、前記スペーサは、該ローラーボールの少なくとも一部分を囲むように形作られ、かつ、該スペーサは、該ケースの表面に据え付けられる、請求項１〜請求項４のうちのいずれか１項に記載のポータブル通信デバイス。
【請求項６】
前記スペーサは、前記ローラーボールの周りにリングを形成する、請求項５に記載のポータブル通信デバイス。
【請求項７】
前記スペーサは、前記デバイスの前記ケースに組み込まれ、かつ、該ケースにおけるディスプレイの下に配置される、請求項１〜請求項３のうちのいずれか１項に記載のポータブル通信デバイス。
【請求項８】
前記スペーサは、前記ケースの中の第１の位置に引き込み可能であり、かつ、該スペーサは、該ケースの前記前面から突出している第２の位置に配備可能である、請求項１〜請求項７のうちのいずれか１項に記載のポータブル通信デバイス。
【請求項９】
ポータブル通信デバイスに対する筐体であって、
ケースと、
スピーカポートを提供する、該ケースにおける第１の開口部と、
ディスプレイに対する、該ケースにおける第２の開口部と、
該デバイスのユーザの頬に載るように該ケースの前面に配置されたスペーサであって、該筐体の該ユーザの頭部に向かって、該筐体が保持され、該スペーサが該ユーザの頬に載ったときには、該スペーサは、該デバイスの下部を該ユーザの頭部から離すようにバイアスする、スペーサと
を備えている、筐体。
【請求項１０】
前記スペーサは、前記ケースの前記前面における前記スピーカポートから３０ｍｍと６０ｍｍとの間で配置されており、
該スペーサは、０．５ｍｍから５ｍｍの間の、該ケースの上に立ち上がる高さを有し、
該ケースは、１０ｍｍと２０ｍｍとの間の厚さを有する、請求項９に記載の筐体。
【請求項１１】
前記スペーサは、前記ケースの前記前面におけるスピーカポートから一定の距離で配置されることにより、移動局の無線能力に関するセルラー通信工業会「ＣＴＩＡ」のテストプランと適合する、請求項１０に記載の筐体。
【請求項１２】
該ディスプレイに対する前記第２の開口部に対するカバーをさらに備えており、前記スペーサは、該カバーに組み込まれるか、または取り付けられ、かつ、該カバーの下部に沿った部分に広がる、請求項９〜請求項１１のうちのいずれか１項に記載の筐体。
【請求項１３】
前記ケースの前記前面における、ローラーボールに対する第３の開口部をさらに備えており、前記スペーサは、該第３の開口部の少なくとも一部分を囲むように形作られ、かつ、該スペーサは、該ケースの表面に据え付けられる、請求項９〜請求項１２のうちのいずれか１項に記載の筐体。
【請求項１４】
前記スペーサは、前記ローラーボールの周りにリングを形成する、請求項１３に記載の筐体。
【請求項１５】
前記スペーサは、前記ケースに組み込まれ、かつ、前記第２の開口部の下の、該ケースの幅を横切って広がる、請求項９〜請求項１１のうちのいずれか１項に記載の筐体。
【請求項１６】
前記スペーサは、前記ケースの中の第１の位置に引き込み可能であり、かつ、該スペーサが、該ケースの前記前面から突出している第２の位置に配備可能である、請求項９〜請求項１５のうちのいずれか１項に記載の筐体。
【発明の詳細な説明】
【技術分野】
【０００１】
本発明は、概して、ハンドヘルドの通信デバイスのためのアンテナスペーサに関する。特に、本発明は、デバイス上のスペーサおよび他の物理的特徴に関し、該スペーサおよび他の物理的特徴は、デバイスの一端または一部分をユーザの頭部から偏向させるものであり、該デバイスは、内部の高感度なコンポーネントを含む。それらのコンポーネントが、ユーザの頭部からの距離を増加されて配置されたときに、それらのコンポーネントの能力は改善される。
【背景技術】
【０００２】
音声通信デバイスは、一般的には、ハンドヘルド（電話）の送受話器を有し、該ハンドヘルド（電話）の送受話器は、本体の（長い）一端に配置されたマイクロフォンポートと、本体の（長い）他端に配置されたスピーカポートとを有する長方形の本体である。送受話器は、一般的には、本体の中間付近において片手で把持され、ユーザの頭部に置かれ、それによりマイクロフォンポートを含む（長い）端が、ユーザの口の近くに配置され、スピーカポートを含む（長い）端が、ユーザの耳の近くに配置される。送受話器は、有線およびワイヤレスの通信デバイスにおいて使用され、該有線およびワイヤレスの通信デバイスは、住居用電話器、ポータブル電話、セルラー電話、ＰＤＡ、ウォーキートーキー、家族間無線サービス（ＦＲＳ）通信デバイスなどを含む。
【０００３】
ワイヤレスデバイスの送受話器の形状因子のサイズを減少させる、現在進行中のトレンドがある。形状因子が、全体的なサイズおよび／または厚さにおいて減少すると、送受話器内のコンポーネントのレイアウトとワイヤレス通信能力との間で、対立が増加する。「小さい」および／または「薄い」デバイスに関して、デバイスが使用されるときには、デバイスのアンテナは、必ず、物理的にユーザの頭部のより近くに配置される。ユーザの頭部は、「仮想の」妨害を作り出し、該「仮想の」妨害は、アンテナの放射パターンを妨げ、アンテナの信号損失を増加させる。この妨害は、アンテナがユーザの頭部に近付けば近付くほど増加する。さらに、頭部の組織が、無線周波数（ＲＦ）を放射した出力を吸収するので、信号の受信／送信の能力は、比吸収率（ＳＡＲ）によって影響される。さらにまた、デバイスが、補聴器との適合性（ＨＡＣ）を必要とする場合には、補聴器ユニットが、デバイスに対する追加の干渉をもたらし得る。
【発明の開示】
【発明が解決しようとする課題】
【０００４】
ユーザの頭部の付近に通信デバイスを配置することに関する、従来技術における欠陥に対処する装置の必要性が存在する。
【課題を解決するための手段】
【０００５】
第１の局面において、一実施形態のポータブル通信デバイスが提供され得る。該デバイスは、ケースと、スピーカポートと、該ケースの下部に配置されたアンテナと、デバイスのユーザの頬に載るように該ケースの前面に配置されたスペーサとを備え得る。デバイスのユーザの頭部に向かって、デバイスが保持され、スペーサがユーザの頬に載ったときには、スペーサは、デバイスの下部をユーザの頭部から離すようにバイアスする。
【０００６】
デバイスにおいて、スペーサは、ケースの前面におけるスピーカポートから３０ｍｍと６０ｍｍとの間で配置され得、スペーサは、０．５ｍｍと５ｍｍとの間の、該ケースの上に立ち上がる高さを有し得る。
【０００７】
デバイスにおいて、スペーサは、ケースの前面におけるスピーカポートから一定の距離で配置されることにより、移動局の無線能力に関するセルラー通信工業会（ＣＴＩＡ）のテストプランと適合し得る。
【０００８】
デバイスは、ディスプレイと、ディスプレイに対するカバーとをさらに備え得る。デバイスにおいて、スペーサはカバーに組み込まれ得、かつ、カバーの下部を横切った部分に広がり得る。あるいは、スペーサはカバーに取り付けられ得、かつ、カバーの下部を横切った部分に広がり得る。
【０００９】
デバイスは、ケースの前面に配置されたローラーボールをさらに備え得、スペーサは、ローラーボールの少なくとも一部分を囲むように形作られ、かつ、スペーサは、ケースの表面に据え付けられる。デバイスにおいて、スペーサは、ローラーボールの周りにリングを形成し得る。
【００１０】
デバイスにおいて、スペーサは、ケースに組み込まれ得、かつ、ケースにおけるディスプレイの下に配置され得る。
【００１１】
デバイスにおいて、スペーサは、前記ケースの中の第１の位置に引き込み可能であり得、かつ、スペーサが、該ケースの前面から突出している第２の位置に配備可能であり得る。
【００１２】
第２の局面において、ポータブル通信デバイスに対する筐体が提供され得る。筐体は、ケースと、スピーカポートを提供する、ケースにおける第１の開口部と、ディスプレイに対する、ケースにおける第２の開口部と、デバイスのユーザの頬に載るようにケースの前面に配置されたスペーサとを備え得る。筐体のユーザの頭部に向かって、筐体が保持され、スペーサがユーザの頬に載ったときには、スペーサは、デバイスの下部をユーザの頭部から離すようにバイアスする。
【００１３】
筐体において、スペーサは、ケースの前面におけるスピーカポートから３０ｍｍと６０ｍｍとの間で配置され得、スペーサは、０．５ｍｍから５ｍｍの間の、ケースの上に立ち上がる高さを有し得、そして、該ケースは、１０ｍｍと２０ｍｍとの間の厚さを有し得る。
【００１４】
筐体において、スペーサは、ケースの前面におけるスピーカポートから一定の距離で配置されることにより、移動局の無線能力に関するセルラー通信工業会（ＣＴＩＡ）のテストプランと適合し得る。
【００１５】
筐体は、ディスプレイに対する第２の開口部に対するカバーをさらに備え得、スペーサは、カバーに組み込まれ、かつ、カバーの下部に沿った部分に広がり得る。あるいは、スペーサは、カバーに取り付けられ得、かつ、カバーの下部に沿った部分に広がり得る。
【００１６】
筐体は、ケースの前面において、ローラーボールに対する第３の開口部をさらに備え得、スペーサは、第３の開口部の少なくとも一部分を囲むように形作られ得、かつ、スペーサは、ケースの表面に据え付けられ得る。スペーサは、追加的に、ローラーボールの周りにリングを形成し得る。
【００１７】
筐体において、スペーサは、デバイスのケースに組み込まれ得、かつ、第２の開口部の下の、ケースの幅を横切って広がり得る。
【００１８】
筐体において、スペーサは、前記ケースの中の第１の位置に引き込み可能であり得、かつ、該スペーサが、該ケースの前面から突出している第２の位置に配備可能であり得る。
【００１９】
他の局面において、上記の局面の組およびサブセットの様々な組み合わせが提供される。
【００２０】
本発明はさらに以下の手段を提供する。
【００２１】
（項目１）  
ポータブル通信デバイスであって、
ケースと、
スピーカポートと、
該ケースの下部に配置されたアンテナと、
該デバイスのユーザの頬に載るように該ケースの前面に配置されたスペーサであって、該デバイスの該ユーザの頭部に向かって、該デバイスが保持され、該スペーサが該ユーザの頬に載ったときには、該スペーサは、該デバイスの下部を該ユーザの頭部から離すようにバイアスする、スペーサと
を備えている、ポータブル通信デバイス。
【００２２】
（項目２）  
上記スペーサは、上記ケースの上記前面における上記スピーカポートから３０ｍｍ〜６０ｍｍに配置されており、
該スペーサは、０．５ｍｍ〜５ｍｍの、該ケースの上に立ち上がる高さを有する、項目１に記載のポータブル通信デバイス。
【００２３】
（項目３）  
上記スペーサは、上記ケースの上記前面におけるスピーカポートから一定の距離に配置されることにより、移動局の無線能力に関するセルラー通信工業会「ＣＴＩＡ」のテストプランと適合する、項目１に記載のポータブル通信デバイス。
【００２４】
（項目４）  
ディスプレイと、
該ディスプレイに対するカバーと
をさらに備えており、
上記スペーサは、該カバーに組み込まれるか、または取り付けられ、該カバーの下部を横切った部分に広がる、項目１〜項目３のうちのいずれか１項に記載のポータブル通信デバイス。
【００２５】
（項目５）  
上記ケースの上記前面に配置されたローラーボールをさらに備えており、上記スペーサは、該ローラーボールの少なくとも一部分を囲むように形作られ、かつ、該スペーサは、該ケースの表面に据え付けられる、項目１〜項目４のうちのいずれか１項に記載のポータブル通信デバイス。
【００２６】
（項目６）  
上記スペーサは、上記ローラーボールの周りにリングを形成する、項目５に記載のポータブル通信デバイス。
【００２７】
（項目７）  
上記スペーサは、上記デバイスの上記ケースに組み込まれ、かつ、該ケースにおけるディスプレイの下に配置される、項目１〜項目３のうちのいずれか１項に記載のポータブル通信デバイス。
【００２８】
（項目８）  
上記スペーサは、上記ケースの中の第１の位置に引き込み可能であり、かつ、該スペーサは、該ケースの上記前面から突出している第２の位置に配備可能である、項目１〜項目７のうちのいずれか１項に記載のポータブル通信デバイス。
【００２９】
（項目９）  
ポータブル通信デバイスに対する筐体であって、
ケースと、
スピーカポートを提供する、該ケースにおける第１の開口部と、
ディスプレイに対する、該ケースにおける第２の開口部と、
該デバイスのユーザの頬に載るように該ケースの前面に配置されたスペーサであって、該筐体の該ユーザの頭部に向かって、該筐体が保持され、該スペーサが該ユーザの頬に載ったときには、該スペーサは、該デバイスの下部を該ユーザの頭部から離すようにバイアスする、スペーサと
を備えている、筐体。
【００３０】
（項目１０）  
上記スペーサは、上記ケースの上記前面における上記スピーカポートから３０ｍｍと６０ｍｍとの間で配置されており、
該スペーサは、０．５ｍｍから５ｍｍの間の、該ケースの上に立ち上がる高さを有し、
該ケースは、１０ｍｍと２０ｍｍとの間の厚さを有する、項目９に記載の筐体。
【００３１】
（項目１１）  
上記スペーサは、上記ケースの上記前面におけるスピーカポートから一定の距離で配置されることにより、移動局の無線能力に関するセルラー通信工業会「ＣＴＩＡ」のテストプランと適合する、項目１０に記載の筐体。
【００３２】
（項目１２）  
該ディスプレイに対する上記第２の開口部に対するカバーをさらに備えており、上記スペーサは、該カバーに組み込まれるか、または取り付けられ、かつ、該カバーの下部に沿った部分に広がる、項目９〜項目１１のうちのいずれか１項に記載の筐体。
【００３３】
（項目１３）  
上記ケースの上記前面における、ローラーボールに対する第３の開口部をさらに備えており、上記スペーサは、該第３の開口部の少なくとも一部分を囲むように形作られ、かつ、該スペーサは、該ケースの表面に据え付けられる、項目９〜項目１２のうちのいずれか１項に記載の筐体。
【００３４】
（項目１４）  
上記スペーサは、上記ローラーボールの周りにリングを形成する、項目１３に記載の筐体。
【００３５】
（項目１５）  
上記スペーサは、上記ケースに組み込まれ、かつ、上記第２の開口部の下の、該ケースの幅を横切って広がる、項目９〜項目１１のうちのいずれか１項に記載の筐体。
【００３６】
（項目１６）  
上記スペーサは、上記ケースの中の第１の位置に引き込み可能であり、かつ、該スペーサが、該ケースの上記前面から突出している第２の位置に配備可能である、項目９〜項目１５のうちのいずれか１項に記載の筐体。
【００３７】
（摘要）
本開示は、ポータブル通信デバイスと、その筐体とを提供し、本開示においては、ユーザの頭部からポータブル通信デバイスのアンテナが離れることが容易にされる。該デバイスは、ケースと、スピーカポートと、該ケースの下部に配置されたアンテナと、デバイスのユーザの頬に載るように該ケースの前面に配置されたスペーサとを備えている。デバイスの該ユーザの頭部に向かって、デバイスが保持され、スペーサがユーザの頬に載ったときには、スペーサは、デバイスの下部をユーザの頭部から離れるようにバイアスする。スペーサは、ケースの前面におけるスピーカポートから一定の距離で配置されることにより、移動局の無線能力に関するセルラー通信工業会「ＣＴＩＡ」のテストプランと適合し得る。
【発明を実施するための最良の形態】
【００３８】
本発明の上記の局面および他の局面は、本発明の特定の実施形態に関する以下の記述と添付の図面とからより明らかになり、該添付の図面は、開示の原理を単なる例として例示している。図面においては、同様な要素は、同様な参照番号を含む（そして、個々の要素は、固有のアルファベットの添え字を伴う）。
【００３９】
以下の記述、および以下の記述において記述される実施形態は、本開示の原理の特定の実施形態の１つの例または複数の例の例示によって提供される。これらの例は、説明の目的として提供され、それらの原理および開示の限定の目的では提供されていない。以下の記述において、同様な部分は、明細書および図面の全体を通して、それぞれ同じ参照番号を用いて印を付けられている。
【００４０】
図１および図２を参照すると、ユーザ１２によって使用されているポータブル通信デバイス１０が示されている。デバイス１０は、ワイヤレスハンドヘルドデバイス、セルラー電話、ＰＤＡ、または任意のワイヤレス送受話器であり得る。デバイス１０は、概して、ケース１４に関しては長方形の形状因子を有し、該ケース１４は、下端におけるマイクロフォンポート１６と、上端におけるスピーカポート１８とを有する。ケース１４は、当業者に想到され得る任意の適切な材料で作られ得、かつ、デバイス１０の全てのコンポーネントを収容および保持するように適切に形成され得るということが理解される。ディスプレイ２０は、ユーザにデバイス１０の状態に関する視覚情報を提供する。一般的に、実際のディスプレイ２０を覆うために提供される透明または半透明のカバー３４またはレンズがあり、該実際のディスプレイ２０は、ディスプレイ２０に対するケース１４内の開口部の中に据え付けられる。一実施形態に従うと、スペーサ２２は、追加のレッジまたはスペーサをデバイス１０に提供することにより、デバイス１０の一部分をユーザ１２から離す。デバイス１０はまた、ローラーボール２４とキーボード２６とを有する。使用の際、デバイス１０は、ユーザ１２の側頭部に向かって保持される。それによりスピーカポート１８がユーザ１２の耳２８に配置されるか、または耳２８の近くに配置され、マイクロフォンポート１６が口３０の近くに配置される。内部アンテナ（図示せず）が、デバイス１０内に提供され、デバイス１０が、無線周波数（ＲＦ）信号を外部デバイスに送受信することを可能にする。ケースは、デバイス１０に対する筐体の少なくとも一部分を形成する。一般的に、ケース１４は、約１０ｍｍ〜２０ｍｍの厚さを有し、デバイスのアンテナは、ケース１４の下部部分において後端に向けて配置される。
【００４１】
限定する目的ではなく、一連の便利な参照方向を提供する目的で、デバイス１０の「上部」は、デバイス１０の上部分（概して、ディスプレイ２０が配置される部分）を指し、一方、デバイス１０の「下部」は、デバイス１０の下部分（概して、マイクロフォンポート１６が配置される）を指す。デバイス１０の「前面」は、デバイス１０の表面（概して、ディスプレイ２０とキーボード２６とが配置される）を指し、一方、デバイス１０の「後面」は、デバイス１０の後側（概して、ケース１４のケース後面）を指す。
【００４２】
図２は、一実施形態に従う、電子通信を受信するための電子デバイス１０の概略的特徴を提供する。電子デバイス１０は、セルラー電話特徴および電子メール特徴を有する拡張型携帯情報端末の機能性を有する演算プラットフォームに基づく。しかしながら、電子デバイス１０は、スマートフォン、デスクトップコンピュータ、ポケットベル、または電話通信機器を有するラップトップのような他の電子デバイスの構造設計および機能性に基づき得るということが理解される。デバイス１０は、任意の公知のワイヤレス電話システムを使用して、ワイヤレス電話呼び出しを行うように動作可能であり、該任意の公知のワイヤレス電話システムは、例えば、世界移動電話規格（ＧＳＭ）システム、符号分割多重接続（ＣＤＭＡ）システム、広帯域ＣＤＭＡ／ＵＭＴＳ、ＣＤＭＡ２０００システム、セルラーデジタルパケットデータ（ＣＤＰＤ）システム、および時分割多元接続（ＴＤＭＡ）システムである。他のワイヤレス電話システムは、Ｂｌｕｅｔｏｏｔｈと、音声をサポートする８０２．１１ワイヤレスブロードバンドの多数の形式、例えば、８０２．１１ａ、８０２．１１ｂ、８０２．１１ｇなどとを含み得る。他の実施形態は、ボイスオーバＩＰ（ＶｏＩＰ）タイプのストリーミングデータ通信を含み、該ストリーミングデータ通信は、回路交換電話呼び出しを促す。
【００４３】
図３を参照すると、テスト備品３００が、一般的なユーザの頭部（例えば、頭部１２）を表し、３次元の一定の比率に合わせた形式で形成される。備品３００は、デバイス１０が備品３００に対して「一般的な」動作方向で「保持」されたときの、デバイス１０の動作局面をテストするために使用される。移動局の無線能力に関するセルラー通信工業会（ＣＴＩＡ）のテストプランに従うと、デバイス１０は、備品３００に対して２つの接触地点を有すると考えられる。第１の接触地点は、テスト備品３００の耳の備品３０２とのものである。概して、ケース１４は、スピーカポート１８の位置において、この第１の範囲に接触する。第２の接触地点３０４は、備品３００における概念上の頬におけるものである。概して、ケース１４は、スピーカポート１８から４８ｍｍ下方で第２の地点に接触する。頬の接触地点３０４と耳の接触地点３０２との間の距離は、ＣＴＩＡ規格の下では４８ｍｍである。この距離は、デバイス１０のアンテナが遭遇する無線周波数送信の減衰の基準の一部として使用される。ＣＴＩＡ備品３００は、ワイヤレス送受話器デバイスのテスト環境を測定するための事実上の規格として、多くの回線業者によって採用されている。
【００４４】
先に述べたように、アンテナがユーザの頭部近くに配置されたときに、デバイス１０のようなデバイスのアンテナに関する能力の課題がある。アンテナの能力は、野外の送信環境から自然と低下する。なぜならば、デバイス１０に対するユーザの頭の近さが、デバイス１０への無線周波数送信信号の受信とデバイス１０からの無線周波数信号の送信とを妨害するからである。頭部内の有機組織における、損失をもたらす流体が、この妨害に寄与する。能力を改善する１つの手法は、アンテナと頭部との間の距離を増加させることである。
【００４５】
デバイス１０におけるアンテナのユーザの頭部からの物理的な分離を容易にするために、実施形態は、スペーサ２２をデバイス１０のケース１４における物理的特徴として提供する。スペーサ２２は、ケースの前表面に沿った範囲においてケース１４の前面から延びている突起である。スペーサ２２は、好適には、デバイス１０の前面に沿って配置され、それによりスペーサ２２の外端が、備品３００における第２の接触地点３０４（図３）と、デバイス１０の接触地点を提供する。従って、スペーサ２２は、スピーカの開口部１８の中央から約４８ｍｍの距離で配置されている。他の実施形態においては、距離は、例えば、２４ｍｍ〜７２ｍｍに変更され得るということが理解される。スペーサ２２は、スピーカの開口部１８に関して、ケース１４に対する支点として作用するということが理解され得、該支点は、ケース１４の下部をユーザの頭部から離すようにバイアスする。
【００４６】
図３および図４を参照すると、概略図４００は、図３の備品３００に対して適切に保持されているデバイス１０を示す。示されているように、スピーカポート１８を有する、デバイス１０の上端は、備品３００の耳２８の近くに載る。スペーサ２２は、デバイス１０の基部から立ち上がり、スペーサ２２が備品３００の頬の位置３０４に接触するように、デバイス１０の配置のための第２の接触地点を提供する。（接触位置３０４の範囲に載っている）スペーサ２２と耳３０２との間の距離は、約４８ｍｍである。このように、デバイス１０の下端は、備品３００の口から離れるように自然に傾斜させられる。このようにして、アンテナがデバイス１０の下部分の位置に配置されたときには、アンテナは、備品３００の口からさらに遠くに離される。隔たりの距離ｄは、デバイス１０全体の長さ、スペーサ２２の高さ、およびケース１４に沿ったスペーサの位置に依存する。アンテナが、頭部１２のような、損失をもたらす要素から１ミリメートルさらに遠くに配置される毎に、１ｄＢのゲインが提供されるということが観察される。スペーサの高さに対して改善される放射能力は、アンテナ設計と機械設計とに依存する。改善の範囲は、０．２５ｄＢから３ｄＢの範囲にあり得る。
【００４７】
図６を参照すると、スペーサ２２は、長方形の棒として示されており、該長方形の棒は、デバイス１０の前部分を横切って広がり、かつ、カバー３４の一部分となっている。スペーサ２２は、ディスプレイ２０に対するカバー３４の下部端に位置される。一実施形態において、スペーサ２２は、ケース１４の上に延びている約１ｍｍの高さを有し、０．５ｍｍ〜１０ｍｍ以上の範囲内にあり得る。スペーサ２２は、ケースの前表面全体またはケース１４の表面の一部分を横切って広がり得る。スペーサ２２の幅は、ケース１４の表面における利用可能なリアルエステートに従って、任意の適切な寸法にされ得るが、１ｍｍ〜１０ｍｍ以上の範囲にあり得る。この実施形態において、ケース１４はまた、図４に示されたような変位ｄを達成または増大させるためにケース１４上に別の構造的特徴を提供するために、上部端にノッチ３２を有する。
【００４８】
スペーサ２２は、ほとんど全ての形式および形状で実装され、ケース１４における様々な適切な位置に配置されることにより、備品３００（または同様に、ユーザの頭部）からのアンテナの隔たりを拡大し得るということが理解される。他の実施形態において、スペーサ２２は、スピーカポート１８から４８ｍｍの距離のままではない、ケース１４上の位置に置かれる。スペーサ２２は、カバーの下部端において、ディスプレイ２０に対するカバー３４上に据え付けられ得る。あるいは、スペーサ２２は、ディスプレイ２０のためのカバー３４に組み込まれ得る。他の実施形態において、デバイス１０のケースに付着されていようが、デバイス１０のケースに組み込まれていようが、デバイス１０のケースから突出している物理的特徴の任意のタイプが、図４に示されたような間隔ｄのスペーシングを達成するために提供され得るということが理解される。
【００４９】
例えば、図７を参照すると、別の実施形態において、スペーサ２２ｂは、環状のリングとして実装され、該環状のリングは、ローラーボール２４（図示せず）の周りに配置される。図８を参照すると、さらに別の実施形態において、スペーサ２２ｃが、半環状のリングとして体現されており、該半環状のリングは、ロールボール２４（図示せず）の上部部分を覆う。ここでもやはり、スペーサ２２ｂとスペーサ２２ｃとは、デバイス１０の基部から約１ｍｍ上方に延びた高さを有する。図７および図８におけるリングの半径と厚さとのサイズは、ローラーボール２６のサイズに適合され得る。しかしながら、例示的な寸法は、０．５ｍｍと１０ｍｍとの間の内径を有し、０．７ｍｍと２０ｍｍとの間の外径とを有する。
【００５０】
スペーサ２２は、デバイス１０のケース１４に固定される別個のコンポーネントモジュールまたは成形特徴であり得るということが理解される。さらに、スペーサは、デバイス１０のその他任意のコンポーネントまたは範囲に固定され得る。
【００５１】
他の実施形態において、デバイス１０上の異なる位置に提供される一連のスペーサ２２があり得る。各スペーサは、所与の位置への配置を可能にするための、かつ、ユーザの頭部から離れる、デバイス１０の下部端の傾斜を容易にするための異なる形状、サイズおよび高さであり得る。
【００５２】
他の実施形態において、スペーサ２２のうちの１つ以上が、ユーザによって、選択的にデバイス１０に取り付けられ、デバイス１０から取り除かれ得る。スペーサ２２は、機械嵌め、摩擦嵌め、結合嵌め（ｂｉｎｄｉｎｇ  ｆｉｔ）、（解放可能な）締金、接着剤、または当該分野において公知の他の取り付けメカニズムを介して、デバイス１０のケース１４と相互作用し接続し得る。例えば、スペーサ２２の下側における特徴（例えば、下方に延びているポスト）は、ケース１４における標的位置（例えば、ポストを受け取り、側面をしっかりと係合することにより、摩擦嵌めを提供するように適切なサイズにされた穴）において嵌合特徴と嵌合し（解放可能なように）係止し得る。特徴は、必要に応じて、スペーサとケース１４との間で交換され得る。さらに、ケース１４にスペーサ２２を取り付ける１つ以上のメカニズムが提供され得る。
【００５３】
別の実施形態において、スペーサはケース１４の中に引き込み可能であり得る。例えば、図７において、スペーサ２２ｄは、ロッドとして実装され得、該ロッドは、ロッドがケース１４に対して（またはケース１４の中で）平坦になる第１の「静止（ｒｅｓｔ）」位置から動くことができ、ロッドが開口部を通ってケース１４の表面から上方に延伸する第２の「配備（ｄｅｐｌｏｙｅｄ）」位置に動くことができる。スペーサ２２ｄは、ケースの中に引っ込められ得、バネで負荷を加えられるメカニズムによって選択的に配備され格納され得る。あるいは、または追加的に、スペーサは、一端において、ヒンジ、またはスペーサの回転を可能にする同様な固定メカニズムを用いてケース１４に回転可能なように固定され得る。
【００５４】
別の実施形態において、スペーサ２２は、様々な延びの高さを提供するように調節可能であり得る。あるいは、または追加的に、スペーサ２２は、スペーサの延び部分が、糊、両面接着用テープ、または他の固定手段を使用して、スペーサ２２の表面の上部に固定されることを可能にするように形成され得る。延び部分は本明細書において記述された任意の方法で固定され得るか、または当業者には公知のその他任意の方法で固定され得る。追加の延び部分が、延び部分自体に固定され得る。延び部分は、プラットフォーム、ポール、ペグなどを含む任意の適切な形状であり得る。
【００５５】
図５を参照すると、デバイス１０の機能コンポーネントが、概略図５００で提供される。機能コンポーネントは、概して、電子デバイス、構造デバイス、または電子機械デバイスであり得る。特に、マイクロプロセッサ５０２は、デバイス１０に関連するほとんど全てのデータ、送信、入力および出力を制御し受信するために提供される。マイクロプロセッサ５０２は、概略的にキーパッド２６および他の内部デバイスに結合されて示される。マイクロプロセッサ５０２は、好適には、デバイス１０およびデバイス１０のコンポーネントの全体的な動作を制御する。マイクロプロセッサ５０２に対する例示的なマイクロプロセッサは、Ｄａｔａ  ９５０（商標）シリーズのマイクロプロセッサ、６２００シリーズのマイクロプロセッサ、およびＰＸＡ９００シリーズのマイクロプロセッサを含み、Ｉｎｔｅｌ  Ｃｏｒｐｏｒａｔｉｏｎから一度に全て入手可能である。マイクロプロセッサ５０２は、様々な入力ピンおよび出力ピンに対する一連の接続によって、デバイス１０における他の要素に接続される。マイクロプロセッサ５０２は、ＩＲＱ入力ラインを有し、該ＩＲＱ入力ラインは、マイクロプロセッサ５０２が様々なデバイスから信号を受信することを可能にする。適切な割り込みファームウェアが提供され、該割り込みファームウェアは、ＩＲＱラインにおいて検知された信号を受信して反応する。マイクロプロセッサ５０２は、いくつかの電力モードで動作し得、該いくつかの電力モードは、「通常」モードと、低電力モードとを含む。
【００５６】
マイクロプロセッサ５０２に加えて、デバイス１０の他の内部コンポーネントが、図５に概略的に示されている。これらは、ディスプレイ２０と、スピーカ１８と、キーパッド２６と、通信サブシステム５０４と、短距離通信サブシステム５０６と、補助Ｉ／Ｏデバイス５０８と、マイクロフォン１６に対するマイクロフォンポート５１０と、（データの持続的な格納を提供する）フラッシュメモリ５１２と、ランダムアクセスメモリ（ＲＡＭ）５１４と、時計５１６と、他のデバイスのサブシステム（図示せず）とを含む。デバイス１０は、好適には、音声通信能力とデータ通信能力とを有する双方向無線周波数（ＲＦ）通信デバイスである。さらに、デバイス１０は、好適には、インターネットを介して他のコンピュータシステムと通信する能力を有する。
【００５７】
マイクロプロセッサ５０２によって実行されるオペレーティングシステムソフトウェアは、好適には、コンピュータ読み取り可能な媒体、例えば、フラッシュメモリ５１２に格納されるが、他のタイプのメモリデバイス、例えば、読み取り専用メモリ（ＲＯＭ）または同様な格納要素に格納され得る。さらに、システムソフトウェア、専用のデバイスのアプリケーション、またはそれらの一部分が、揮発性格納装置、例えば、ＲＡＭ５１４に一時的にロードされ得る。デバイス１０によって受信された通信信号はまた、ＲＡＭ５１４に格納され得る。
【００５８】
マイクロプロセッサ５０２は、オペレーションシステム機能に加えて、デバイス１０上でのソフトウェアアプリケーションの実行を可能にする。概略的にアプリケーション５１８として識別される一連のソフトウェア（またはファームウェア）アプリケーションは、音声通信モジュール５１８Ａおよびデータ通信モジュール５１８Ｂのような基本的なデバイスの動作を制御し、製造中にデバイス１０にインストールされ得るか、または製造後にデバイス１０にダウンロードされ得る。同様に、カレンダーモジュール５１８Ｃ、アドレス帳４１８Ｄおよび位置モジュール５１８Ｅのようなソフトウェアモジュールが、製造中にデバイス１０にインストールされ得るか、または製造後にデバイス１０にダウンロードされ得る。追加のモジュール、例えば、個人情報マネジャ（ＰＩＭ）アプリケーションが提供され得る。あらゆるモジュールが、製造中にデバイス１０にインストールされ得るか、または製造後にデバイス１０にダウンロードされ得る。各アプリケーションと関連付けられるデータは、フラッシュメモリ５１２に格納され得る。
【００５９】
データ通信および音声通信を含む通信機能が、通信サブシステム５０４と短距離通信サブシステム５０６とによって行われる。システム５０４とシステム５０６とは、デバイス１０の現在の状態に応じて、選択的に、作動されることも作動されないこともあり得る。例えば、デバイス１０が低電力モードである場合には、システム５０４とシステム５０６とのうちのいずれかまたは両方が作動されないことがあり得る。システム５０４とシステム５０６との両方の作動が、任意のモジュール５１８を含むソフトウェアによって制御され得る。集合的に、サブシステム５０４とサブシステム５０６とは、デバイス１０によって処理される全ての通信技術に信号レベルインタフェースを提供する。様々なアプリケーション５１８は、通信をさらに処理し記録する動作制御を提供する。通信サブシステム５０４は、受信器５２０と、送信器５２２と、受信アンテナ５２４および送信アンテナ５２６として例示された１つ以上のアンテナとを含む。アンテナ５２４とアンテナ５２６とは、デバイス１０の中に配置され、かつ、ユーザの頭部から遠くに離されることから利益を得ることがあり得るコンポーネントである。多くの実施形態において、アンテナ５２４とアンテナ５２６とは、ケース１４の下部部分に配置され、好適には、デバイス１０の後方に向けて配置される。
【００６０】
さらに、通信サブシステム５０４はまた、処理モジュール、例えば、デジタル信号プロセッサ（ＤＳＰ）５２８および局所発振器（ＬＯ）５４０を含む。通信サブシステム５０４の固有の設計および固有の実装は、デバイス１０が動作することを意図されている通信ネットワークに依存している。例えば、デバイス１０の通信サブシステム５０４は、Ｍｏｂｉｔｅｘ（商標）、ＤａｔａＴＡＣ（商標）、または汎用パケット無線サービス（ＧＰＲＳ）モバイルデータ通信ネットワークで動作し得、また、様々な音声通信ネットワークのうちの任意のもの、例えば、アドバンストモバイルフォンサービス（ＡＭＰＳ）、時分割多元接続（ＴＤＭＡ）、符号分割多重接続（ＣＤＭＡ）、ＣＤＭＡ２０００、個人通信サービス（ＰＣＳ）、世界移動電話規格（ＧＳＭ）などで動作し得る。別個および組み込みの両方である、他のタイプのデータネットワークおよび音声（電話接続）ネットワークが、デバイス１０と共に使用され得る。いずれにしても、通信サブシステム５０４は、デバイス１０に、様々な通信技術を使用した他のデバイスとの通信能力を提供し、該様々な通信技術は、インスタントメッセージ（ＩＭ）システム、テキストメッセージ（ＴＭ）システム、およびショートメッセージサービス（ＳＭＳ）システムを含む。
【００６１】
通信信号を処理することに加えて、ＤＳＰ５２８は、受信器５２０と送信器５２２との制御を提供する。例えば、受信器５２０と送信器５２２とにおける通信信号に適用されるゲインは、ＤＳＰ５２８に実装される自動ゲイン制御アルゴリズムを介して適応するように制御され得る。
【００６２】
データ通信モードにおいて、テキストメッセージまたはウェブページのダウンロードのような受信された信号が、通信サブシステム５０４によって処理され、マイクロプロセッサ５０２に対する入力として提供される。次に、受信された信号は、マイクロプロセッサ５０２によってさらに処理され、次に、該マイクロプロセッサ５０２は、ディスプレイ２０または補助Ｉ／Ｏデバイス５０８に出力を生成する。デバイスのユーザはまた、キーパッド２６、トラックボール２４、および／または一部の他の補助Ｉ／Ｏデバイス５０８、例えば、タッチパッド、ロッカースイッチ、トラックボール、または一部の他の入力デバイスを使用して、電子メールメッセージのようなデータ項目を作成し得る。次に、作成されたデータ項目は、通信サブシステム５０４を介して通信ネットワークによって送信され得る。サブシステム５０４はまた、サブシステ５０４が遠隔システムの通信範囲から外れたときを検知し得る。
【００６３】
音声通信モードにおいて、デバイス１０の動作全体は、実質的にデータ通信モードの動作と同様であるが、受信された信号がスピーカ１８に出力され、送信のための信号が、マイクロフォン１６によって生成される点で異なる。代替の音声またはオーディオＩ／Ｏサブシステム、例えば、音声メッセージ記録サブシステムもまた、デバイス１０に実装され得る。さらに、ディスプレイ２０はまた、音声通信モードにおいて利用されることにより、例えば、呼び出し者の識別、音声呼び出しの持続時間、または他の音声呼び出し関連の情報を表示し得る。
【００６４】
短距離通信サブシステム５０６は、デバイス１０と他の近くのシステムまたはデバイスとの間の通信を可能にし、該他の近くのシステムまたはデバイスは、必ずしも同様なデバイスである必要はない。例えば、短距離通信サブシステムは、赤外線デバイスか、関連した回路およびコンポーネントか、またはＢｌｕｅｔｏｏｔｈ（商標）モジュールを含むことにより、同様に使用可能なシステムおよびデバイスとの通信を提供し得る。
【００６５】
デバイス１０はまた、全地球位置把握システム５３６を有することにより、デバイス１０の現在の位置を識別することを助け得、また、光センサ５３８を有することにより、デバイス１０に対する周囲の光の状態に関するデータを提供し得る。これらの要素は、先に記述したように、デバイス１０において動作するソフトウェアによって制御され得る。
【００６６】
モバイルのハンドヘルド通信デバイスの電子機器全体に電力を供給するものが、電源５４０である。一実施形態において、電源５４０は、１つ以上のバッテリを含む。別の実施形態において、電源５４０は、単一のバッテリパック、特に、再充電可能なバッテリパックである。電源スイッチ（図示せず）が、デバイス１０に対する「ｏｎ／ｏｆｆ」スイッチを提供する。電源インタフェース（図示せず）は、ハードウェア、ファームウェア、ソフトウェア、またはかかる要素の組み合わせで提供されることにより、デバイス１０におけるコンポーネントの電源５４０へのアクセスを選択的に制御し得る。電源スイッチの作動の際、アプリケーション５１８は、デバイス１０の電源を入れ始める。電源スイッチの停止の際、アプリケーション５１８は、デバイス１０の電源を切り始める。デバイス１０に対する電源もまた、他のデバイスおよびソフトウェアアプリケーション５１８によって制御され得る。
【００６７】
実施形態のポータブル通信デバイスは、アンテナを有するヘッドセットであり得、該ポータブル通信デバイスは、住居用電話などの基地局と通信するということが理解される。
【００６８】
本開示は、添付の特許請求の範囲によって定義され、上記の記述は、本開示の実施形態の単なる例示である。当業者は、上記の実施形態に対する特定の改変を認識し得、該改変は、本明細書においては明示的には考察されていないが、添付の特許請求の範囲によって定義されているように、本発明の範囲を逸脱しない。
【図面の簡単な説明】
【００６９】
【図１】図１は、ユーザの頭部付近の所定の位置で示された、実施形態に従ったポータブル電子デバイスの概略的表示である。
【図２】図２は、図１の形状因子のブロック図である。
【図３】図３は、図１のユーザの頭部を表す、テスト備品の側面図の概略的表示であり、図１のデバイスと関連付けられる測定寸法を示す。
【図４】図４は、図３のテスト備品の正面プロフィールとデバイスの側面プロフィールとの図の概略的表示である。
【図５】図５は、図１のデバイスの内部コンポーネントのブロック図である。
【図６】図６は、図１のデバイスのケースおよびスペーサの（正確な比率ではない）典型的な側面図および正面図である。
【図７】図７は、図１のデバイスの別の実施形態のケースおよびスペーサの（正確な比率ではない）典型的な側面図および正面図である。
【図８】図８は、図１のデバイスのさらに別の実施形態のケースおよびスペーサの（正確な比率ではない）典型的な側面図および正面図である。
【符号の説明】
【００７０】
１０  ポータブル通信デバイス
１６  マイクロフォンポート
１８  スピーカポート
２２  スペーサ
３００  テスト備品
３０２  耳の備品
３０４  第２の接触地点
【図１】
2009027704.tif 000003
【図２】
2009027704.tif 000004
【図３】
2009027704.tif 000005
【図４】
2009027704.tif 000006
【図５】
2009027704.tif 000007
【図６】
2009027704.tif 000008
【図７】
2009027704.tif 000009
【図８】
2009027704.tif 000010